(57)【要約】【課題】キャンペーン画面を表示する表示時間を適切に制御することができるようにして、顧客に対するアピール度合いが高くなるように、キャンペーン画面を表示することができ、繁忙時間帯に自動取引装置への待ち時間を増加させないことができるようにする。【解決手段】キャンペーン画面を表示する表示装置を備え、顧客が操作する自動取引装置１１と、前記キャンペーン画面の情報を格納するデータベースを備え、前記自動取引装置１１から受信した情報に基づいて、前記顧客に対応するキャンペーン画面の情報を前記データベースから取得して前記自動取引装置１１に送信する顧客情報管理装置１２とを有し、前記データベースはキャンペーン毎に設定された表示時間を格納し、前記自動取引装置１１は、前記表示時間に合わせて前記キャンペーン画面を表示する。【選択図】図１
2006085238.tif 000002
【特許請求の範囲】
【請求項１】
（ａ）キャンペーン画面を表示する表示装置を備え、顧客が操作する自動取引装置と、
（ｂ）前記キャンペーン画面の情報を格納するデータベースを備え、前記自動取引装置から受信した情報に基づいて、前記顧客に対応するキャンペーン画面の情報を前記データベースから取得して前記自動取引装置に送信する顧客情報管理装置とを有し、
（ｃ）前記データベースはキャンペーン毎に設定された表示時間を格納し、
（ｄ）前記自動取引装置は、前記表示時間に合わせて前記キャンペーン画面を表示することを特徴とするキャンペーン表示システム。
【請求項２】
（ａ）前記データベースは前記キャンペーンに対応する顧客を示す情報を顧客のグループ毎に格納し、
（ｂ）前記表示時間は、前記顧客のグループ毎に設定されている請求項１に記載のキャンペーン表示システム。
【請求項３】
（ａ）前記データベースは前記自動取引装置が配設された店舗を示す情報を店舗のグループ毎に格納し、
（ｂ）前記表示時間は、前記店舗のグループ毎に設定されている請求項１又は２に記載のキャンペーン表示システム。
【請求項４】
（ａ）前記データベースは前記キャンペーンを実施する時間帯を示す情報を格納し、
（ｂ）前記表示時間は、前記時間帯毎に設定されている請求項１〜３のいずれか１項に記載のキャンペーン表示システム。
【請求項５】
（ａ）前記データベースは前記顧客が自動取引装置を操作する操作時間レベルを示す情報を格納し、
（ｂ）前記表示時間は、前記操作時間レベル毎に設定されている請求項１〜４のいずれか１項に記載のキャンペーン表示システム。
【請求項６】
（ａ）前記データベースは前記自動取引装置の混雑レベルを示す情報を格納し、
（ｂ）前記表示時間は、前記混雑レベル毎に設定されている請求項１〜５のいずれか１項に記載のキャンペーン表示システム。
【請求項７】
前記データベースは、前記自動取引装置がキャンペーン画面を実際に表示した表示時間を蓄積する請求項１〜６のいずれか１項に記載のキャンペーン表示システム。
【発明の詳細な説明】
【技術分野】
【０００１】
本発明は、キャンペーン表示システムに関するものである。
【背景技術】
【０００２】
従来、銀行、信用金庫、郵便局、消費者金融会社等の金融機関の顧客が、入金、出金、振り込み、残高照会等の金融取引を行う場合、前記金融機関の支店、すなわち、営業店に配設されたＡＴＭ（Ａｕｔｏｍａｔｉｃ  Ｔｅｌｌｅｒ  Ｍａｃｈｉｎｅ：現金自動預払機）、ＣＤ（Ｃａｓｈ  Ｄｉｓｐｅｎｓｅｒ：現金自動支払機）等の自動取引装置を利用すると、該自動取引装置と顧客情報管理（Ｃｕｓｔｏｍｅｒ  Ｒｅｌａｔｉｏｎｓｈｉｐ  Ｍａｎａｇｅｍｅｎｔ）装置とを連携させ、前記自動取引装置での取引中における顧客操作の空き時間、例えば、未記帳データの印字中、現金の計数中等に、前記自動取引装置の表示画面に自動取引装置の操作方法の指示や取引金額等の金融取引に関する情報に加えて、前記金融機関から顧客へのメッセージ、商品案内等の付加情報が表示されるシステムが提供されている（例えば、特許文献１参照。）。
【０００３】
例えば、前記顧客が銀行における自動取引装置を操作して残高照会を行い操作が終了した時、表示画面に「当行におきましては、○月○日より新しい××サービスを開始しました。どうぞご利用下さい。」というような情報が表示されてから、初期画面に戻るようになっている。
【０００４】
なお、前記システムは、毎日変更したり、営業店毎に変更したりすることができるので、金融機関の提供するサービス、すなわち、金融商品をタイムリーに顧客に伝えることができ、また、地域に即した適切な情報を顧客に伝えることができる。
【０００５】
さらに、それぞれの顧客の住所、氏名、年齢、職種、収入、家族構成等の顧客の基本的な属性に関する情報や、それぞれの顧客の過去に行われた勘定取引に関する履歴等の情報に基づいて、それぞれの顧客に対応した内容を備える、いわゆる、オーダーメイドのメッセージを作成して、顧客に提示することができる。
【０００６】
これにより、金融機関は、それぞれの顧客に適した内容の金融商品に関するメッセージをタイムリーに提示する等のサービスを顧客に提供することができ、また、それぞれの顧客に即した適切な表現のメッセージ等の適切なサービスを顧客に提供することができる。また、顧客も、不要なメッセージ等の不要なサービスを受けることがなく、自分に適した金融商品について、親しみを持てる適切なサービスを受けることができる。
【特許文献１】特開２００３−３４６２１５号公報
【発明の開示】
【発明が解決しようとする課題】
【０００７】
しかしながら、前記従来のシステムにおいては、システムで固定値として保有されている表示時間に基づいてキャンペーン画面を表示するので、キャンペーンの特性、顧客の特性、自動取引装置が配設されている地域の特性、又は、自動取引装置の混雑状況等の特性とは無関係に、常に一定の表示時間だけ、キャンペーン画面を表示するようになっている。そのため、キャンペーンの顧客に対するアピール度合いを高くすることができず、また、繁忙時間帯には自動取引装置の待ち時間を増加させてしまうことがある。
【０００８】
本発明は、前記従来のシステムの問題点を解決して、キャンペーン画面を表示する表示時間を適切に制御することができるようにして、顧客に対するアピール度合いが高くなるように、キャンペーン画面を表示することができ、繁忙時間帯に自動取引装置への待ち時間を増加させないことができるキャンペーン表示システムを提供することを目的とする。
【課題を解決するための手段】
【０００９】
そのために、本発明のキャンペーン表示システムにおいては、キャンペーン画面を表示する表示装置を備え、顧客が操作する自動取引装置と、前記キャンペーン画面の情報を格納するデータベースを備え、前記自動取引装置から受信した情報に基づいて、前記顧客に対応するキャンペーン画面の情報を前記データベースから取得して前記自動取引装置に送信する顧客情報管理装置とを有し、前記データベースはキャンペーン毎に設定された表示時間を格納し、前記自動取引装置は、前記表示時間に合わせて前記キャンペーン画面を表示する。
【００１０】
本発明の他のキャンペーン表示システムにおいては、さらに、前記データベースは前記キャンペーンに対応する顧客を示す情報を顧客のグループ毎に格納し、前記表示時間は、前記顧客のグループ毎に設定されている。
【００１１】
本発明の更に他のキャンペーン表示システムにおいては、さらに、前記データベースは前記自動取引装置が配設された店舗を示す情報を店舗のグループ毎に格納し、前記表示時間は、前記店舗のグループ毎に設定されている。
【００１２】
本発明の更に他のキャンペーン表示システムにおいては、さらに、前記データベースは前記キャンペーンを実施する時間帯を示す情報を格納し、前記表示時間は、前記時間帯毎に設定されている。
【００１３】
本発明の更に他のキャンペーン表示システムにおいては、さらに、前記データベースは前記顧客が自動取引装置を操作する操作時間レベルを示す情報を格納し、前記表示時間は、前記操作時間レベル毎に設定されている。
【００１４】
本発明の更に他のキャンペーン表示システムにおいては、さらに、前記データベースは前記自動取引装置の混雑レベルを示す情報を格納し、前記表示時間は、前記混雑レベル毎に設定されている。
【００１５】
本発明の更に他のキャンペーン表示システムにおいては、さらに、前記データベースは、前記自動取引装置がキャンペーン画面を実際に表示した表示時間を蓄積する。
【発明の効果】
【００１６】
本発明によれば、キャンペーン画面を表示する表示時間を適切に制御することができるようになっている。そのため、顧客に対するアピール度合いが高くなるように、キャンペーン画面を表示することができ、繁忙時間帯に自動取引装置への待ち時間を増加させないようにすることができる。
【発明を実施するための最良の形態】
【００１７】
以下、本発明の実施の形態について図面を参照しながら詳細に説明する。
【００１８】
図１は本発明の第１の実施の形態におけるキャンペーン表示システムの構成を示す図、図２は本発明の第１の実施の形態における顧客マスタデータベースの登録内容を示す図、図３は本発明の第１の実施の形態における顧客情報データベースの登録内容を示す図、図４は本発明の第１の実施の形態における履歴データベースの登録内容を示す図である。
【００１９】
図１において、１０は本実施の形態におけるコンピュータシステムとしてのキャンペーン表示システムである。また、１１は、銀行、信用金庫、郵便局、消費者金融会社等の金融機関の支店等である営業店に配設されたＡＴＭ、ＣＤ等の自動取引装置であり、前記金融機関の顧客が自分で操作して入金、出金、通帳記帳、残高照会、振り込み、振り替え、送金、定期性預金設定等の金融取引を行うための装置である。なお、前記自動取引装置１１は、コンビニエンスストア、スーパーマーケット、デパート等の商店の店舗、地下街、駅の構内、市役所、病院等の公共施設、工場、事務所等の私企業、駐車場、道路脇（わき）等の屋外等に配設されていてもよい。また、前記自動取引装置１１は、他の機能、例えば、チケット予約機能、商品購入申し込み機能、クレジットカードの与信確認機能、施設情報案内機能等を有するキオスク端末のような多機能端末であってもよい。なお、前記顧客は、金融機関に自己の口座を開設し、前記金融機関を利用する者であり、一般的には個人であるが、企業、団体等であってもよい。
【００２０】
そして、前記自動取引装置１１は、キーボード、タッチパネル、マウス等の入力装置、ＣＲＴ、液晶ディスプレイ、ＬＥＤ（Ｌｉｇｈｔ  Ｅｍｉｔｔｉｎｇ  Ｄｉｏｄｅ）ディスプレイ等の表示装置等を備える顧客操作部を有する。なお、該顧客操作部は、入力装置と表示装置との機能を兼ね備えるタッチパネルであることが望ましい。さらに、前記顧客操作部は、音声ガイダンス等を出力するためのスピーカ等の音声出力装置を備える。
【００２１】
また、前記自動取引装置１１は、キャッシュカード等のカードを取り扱い顧客ＩＤを取得するＩＤ取得部としてのカード取り扱い部を有する。ここで、前記カードは、金融機関が顧客に対して発行した入金、出金、振り込み、残高照会等の金融取引を行うためのカードであり、顧客の氏名、口座番号、暗証番号、顧客ＩＤ等の情報を格納する磁気ストライプを備える。なお、前記情報を格納する部材としては、前記磁気ストライプに代えて、カードに埋め込まれたＩＣであってもよい。そして、前記カード取り扱い部は、カードが挿入されるカードスロットを備え、該カードスロット内には、カードを搬送する搬送装置、及び、カードの磁気ストライプやＩＣに格納された情報の読み取り、上書き、消去等を行うための磁気ヘッド等の記録ヘッドが配設される。なお、前記カード取り扱い部は他の金融機関の発行したキャッシュカードやクレジットカード、デビットカード等の他の種類のカードも取り扱えることが望ましい。
【００２２】
さらに、前記カード取り扱い部は取引明細票を発行する機能を備える。該取引明細票は、入金、出金、通帳記帳、残高照会、振り込み、振り替え、送金、定期性預金設定等の顧客が行った金融取引に関する情報が印刷される紙片であり、口座番号、金融取引の種類、取引金額等が印刷される。なお、前記取引明細票は、顧客が希望したときだけに発行されるようにしてもよい。
【００２３】
そして、前記自動取引装置１１は、預金通帳等の通帳に記帳する通帳記帳部、紙幣を取り扱う紙幣入出金部、及び、硬貨を取り扱う硬貨入出金部を有する。さらに、前記自動取引装置１１は、ＣＰＵ、ＭＰＵ等の演算手段、半導体メモリ、磁気ディスク等の記憶手段、通信手段等を備え、前記自動取引装置１１の動作を統括的に制御する制御部を有する。また、前記自動取引装置１１は、図示されない勘定系上位装置としての前記金融機関のホストコンピュータに通信可能に接続され、金融取引を行う。
【００２４】
なお、図１において、前記自動取引装置１１は、一つしか示されていないが、複数であってもよい。
【００２５】
また、１２は前記金融機関の地区センタに配設された顧客情報管理装置であり、ＣＰＵ、ＭＰＵ等の演算装置、磁気ディスク、半導体メモリ等の記憶装置、キーボード、マウス等の入力装置、ＣＲＴ、液晶ディスプレイ等の表示装置、通信インターフェイス等を備えるコンピュータとしての図示されないサーバ、並びに、磁気ディスク、半導体メモリ等の記憶装置から成るデータベースとしての顧客情報データベース１３、顧客マスタデータベース１４及び履歴データベース１５を備える。なお、前記顧客情報データベース１３、顧客マスタデータベース１４及び履歴データベース１５は、前記サーバの内部に一体的に構成されたものであってもよい。
【００２６】
そして、前記顧客情報データベース１３は、ＣＲＭデータベースとして機能するものであり、顧客別表示データ、キャンペーン情報、メッセージ等を格納する。また、前記顧客マスタデータベース１４は、それぞれの顧客について、顧客ＩＤ、住所、氏名、年齢、職種、収入、家族構成等の顧客の基本的な属性に関する情報、すなわち、顧客基本属性情報、及び、過去に行われた勘定取引に関する履歴等の勘定取引情報を格納する。さらに、前記履歴データベース１５は、それぞれの顧客に対して提供されたキャンペーン情報、メッセージ等に関するキャンペーン履歴、顧客が自動取引装置１１等を操作した操作履歴等を格納する。
【００２７】
さらに、前記顧客情報管理装置１２は図示されないネットワークに接続され、また、該ネットワークには、前記自動取引装置１１が接続されている。ここで、前記ネットワークは、無線又は有線の専用通信回線網又は公衆通信回線網、インターネット、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）等いかなるものであってもよい。なお、前記ネットワークは、専用通信回線網であることが望ましいが、公衆通信回線網を利用したＶＰＮ（Ｖｉｒｔｕａｌ  Ｐｒｉｖａｔｅ  Ｎｅｔｗｏｒｋ）であってもよい。
【００２８】
ここで、前記顧客マスタデータベース１４には、顧客基本属性情報が、例えば、図２に示されるような形態で格納されている。この場合、顧客のそれぞれを識別するために付与された顧客ＩＤ（識別情報、例えば、口座情報）と、各顧客ＩＤ毎に顧客の氏名、住所、電話番号、残高情報（預金残高）、ＤＭ（ダイレクトメール）返信情報等の情報が顧客マスタデータベース１４に格納される。
【００２９】
また、前記顧客情報データベース１３には、キャンペーン情報が、例えば、図３に示されるような形態で格納されている。この場合、金融機関が顧客に対して行うキャンペーンに対応するように、それぞれのキャンペーンを実施する各実施店舗、キャンペーンの対象となる顧客を示す対象顧客ＩＤが格納される。また、それぞれの顧客に対して作成されたキャンペーンを紹介するためのメッセージ内容、画面情報及び表示時間が設定され、これらがキャンペーン情報として格納される。ここで、前記画面情報としては、各キャンペーンの種類毎に必要な数の画像が設定され、メッセージ内容は各画面情報に対応して設定されている。これらキャンペーン情報は、自動取引装置設置機関のキャンペーン設計者が、キャンペーン生成システム等のコンピュータシステムを利用し、顧客マスタデータベース１４から対象顧客をリストアップして設定する。
【００３０】
そして、これらのキャンペーン情報は、顧客マスタデータベース１４に格納されている顧客ＩＤを顧客情報データベース１３に格納されている顧客ＩＤと照合することによって、検索することができる。
【００３１】
さらに、前記履歴データベース１５は、顧客の操作履歴情報が、例えば、図４に示されるような形態で格納されている。この場合、キャンペーンを実施（表示）する度に、実施日時、実施店舗、顧客ＩＤ、キャンペーン種類及び結果が、履歴情報として前記履歴データベース１５に格納される。
【００３２】
次に、前記構成のキャンペーン表示システム１０の動作について説明する。
【００３３】
図５は本発明の第１の実施の形態におけるキャンペーン画面の例を示す図である。
【００３４】
まず、顧客が金融機関に配設された自動取引装置１１を操作して入金、出金、通帳記帳、残高照会等の金融取引を行う場合、顧客操作部の表示装置には取引選択画面が表示される。ここでは、前記顧客操作部が入力手段と表示手段との機能を兼ね備えるタッチパネルである場合について説明する。そして、前記顧客操作部において、顧客は、表示されている取引から所望の取引を選択する。そのため、顧客は、前記顧客操作部に表示された金融取引の中から選択した取引のキーに触れる、すなわち、タッチする。
【００３５】
続いて、前記顧客操作部に、取引媒体であるカード又は通帳の挿入を指示する画面が表示される。ここでは、取引媒体がキャッシュカード等のカードである場合について説明する。続いて、顧客はカードをカード取り扱い部のカードスロットに挿入する。すると、前記顧客操作部に、暗証番号を入力する指示とともにテンキーが表示されるので、顧客は前記テンキーにタッチして暗証番号を入力する。すると、カード取り扱い部の記録ヘッドは、キャッシュカードの磁気ストライプやＩＣに格納された情報である顧客ＩＤ、及び、自動取引装置１１が配設されている店舗情報を読み取る。そして、前記顧客ＩＤ及び店舗情報は、自動取引装置１１から顧客情報管理装置１２に送信される。
【００３６】
そして、該顧客情報管理装置１２は、自動取引装置１１から顧客ＩＤ及び店舗情報を受信すると、顧客情報データベース１３にアクセスし、前記顧客向け及び前記店舗向けのキャンペーン情報が格納されているか否かを判断する。この場合、図３に示されるような対象顧客ＩＤの中に自動取引装置１１から受信した顧客ＩＤが含まれるか否かを判断する。そして、該顧客ＩＤが対象顧客ＩＤの中に含まれる、すなわち、前記顧客向けのキャンペーン情報が格納されていると判断した場合、顧客情報管理装置１２は、前記対象顧客ＩＤに対応するメッセージや画像による表示データと、顧客マスタデータベース１４に格納されている顧客の氏名を編集し、自動取引装置１１の表示装置に、案内情報を表示させるための画面を作成し、キャンペーン画面及びキャンペーンに対応する表示時間を自動取引装置１１に送信する。
【００３７】
ところで、前記顧客が自動取引装置１１を操作して入金、出金、通帳記帳、残高照会等の金融取引を行い、前記自動取引装置１１が未記帳データの印字中、現金の計数中等のように処理を行っている間、すなわち、顧客操作の空き時間には、図５（ａ）に示されるように、「ただいま処理中です。しばらくお待ち下さい。」等のメッセージを書き込んだ処理中画面が顧客操作部の表示装置に表示される。ここで、前記自動取引装置１１は、顧客情報管理装置１２からキャンペーンの画面情報及び表示時間を受信すると、前記処理中画面に変えて、図５（ｂ）に示されるようなキャンペーン画面を表示する。そして、顧客が確認ボタンを押下するか、または、受信した表示時間が経過すると、前記キャンペーン画面に変えて、図５（ｃ）に示されるように通常の取引画面を表示する。
【００３８】
また、前記自動取引装置１１は、前記キャンペーン画面に変えて通常の取引画面を表示するとともに、前記顧客情報管理装置１２に対して表示結果に関する情報を送信する。ここで、表示結果とは、例えば、自動取引装置１１で正常にキャンペーン画面を表示することができたか否かに関する情報である。
【００３９】
さらに、前記顧客情報管理装置１２は、受信した前記表示結果情報を元に、前記履歴データベース１５へ対応するデータを追加する。
【００４０】
次に、図１に示されるステップについて説明する。
ステップ１  顧客はカードをカード取り扱い部のカードスロットに挿入する。
ステップ２  顧客ＩＤ及び店舗情報は、自動取引装置１１から顧客情報管理装置１２に送信される。
ステップ３  顧客情報管理装置１２は、キャンペーン画面及びキャンペーンに対応する表示時間を自動取引装置１１に送信する。
ステップ４  自動取引装置１１は、キャンペーン画面を表示装置に表示する。
ステップ５  自動取引装置１１は、顧客情報管理装置１２に表示結果に関する情報を送信する。
【００４１】
このように、本実施の形態においては、キャンペーン毎に、そのキャンペーン画面を自動取引装置１１で表示する時間を、あらかじめ顧客情報データベース１３に設定することができるようになっている。そのため、キャンペーンの特性に応じた時間でキャンペーン画面を表示することが可能となる。
【００４２】
例えば、メッセージ文字数が多い等のように顧客へ伝達する情報が多いキャンペーンの場合は、表示時間を長く設定する等の制御が可能となるため、より顧客アピール度の高いキャンペーン表示を実現することが可能となる。
【００４３】
次に、本発明の第２の実施の形態について説明する。なお、第１の実施の形態と同じ構造を有するものについては、同じ符号を付与することによってその説明を省略する。また、前記第１の実施の形態と同じ動作及び同じ効果についても、その説明を省略する。
【００４４】
図６は本発明の第２の実施の形態における顧客情報データベースの登録内容を示す図である。
【００４５】
本実施の形態において、キャンペーン情報は、図６に示されるような形態で顧客情報データベース１３に格納されている。この場合、金融機関が顧客に対して行うキャンペーンに対応するように、それぞれのキャンペーンを実施する各実施店舗、キャンペーンの対象となる顧客を示す情報としての対象顧客ＩＤが格納される。ここで、該対象顧客ＩＤは、複数のグループを構成するように格納されている。すなわち、（Ｙ１、Ｙ２、・・・）、・・・（Ｚ１、Ｚ２、Ｚ３、・・・）のようなグループを構成するように設定されている。この場合、例えば、年齢層に応じてキャンペーンの対象となる顧客をあらかじめグルーピングし、その結果に応じて前記対象顧客ＩＤのグループを構成する。
【００４６】
また、それぞれの顧客に対して作成されたキャンペーンを紹介するためのメッセージ内容、画面情報及び表示時間が設定されている。そして、該表示時間は、前記対象顧客ＩＤの各グループに対応して個別に設定されている。すなわち、対象顧客ＩＤ（Ｙ１、Ｙ２、・・・）のグループに対しては表示時間ＹＹＹが設定され、対象顧客ＩＤ（Ｚ１、Ｚ２、Ｚ３、・・・）のグループに対しては表示時間ＺＺＺが設定されている。つまり、表示時間が対象顧客のグループ毎に設定されて登録されている。この場合、例えば、年齢層の高い対象顧客のグループに対しては表示時間が長くなるように設定し、年齢層の低い対象顧客のグループに対しては表示時間が短くなるように設定しておく。なお、本実施の形態において、キャンペーン表示システム１０のその他の点についての構成は、前記第１の実施の形態と同様であるので、説明を省略する。
【００４７】
次に、本実施の形態におけるキャンペーン表示システム１０の動作について説明する。なお、顧客が自動取引装置１１を操作して所望の取引を選択してから、顧客ＩＤ及び店舗情報が自動取引装置１１から顧客情報管理装置１２に送信されるまでの動作については、前記第１の実施の形態と同様であるので、説明を省略する。
【００４８】
そして、顧客情報管理装置１２は、自動取引装置１１から顧客ＩＤ及び店舗情報を受信すると、顧客情報データベース１３にアクセスし、前記顧客向け及び前記店舗向けのキャンペーン情報が格納されているか否かを判断する。この場合、図６に示されるような対象顧客ＩＤの中に自動取引装置１１から受信した顧客ＩＤが含まれるか否かを判断する。そして、該顧客ＩＤが対象顧客ＩＤの中に含まれると判断した場合、顧客情報管理装置１２は、顧客ＩＤが属する対象顧客ＩＤのグループに対応する表示時間を取得する。続いて、前記顧客情報管理装置１２は、前記対象顧客ＩＤに対応するメッセージや画像による表示データと、顧客マスタデータベース１４に格納されている顧客の氏名を編集し、自動取引装置１１の表示装置に、案内情報を表示させるための画面を作成し、キャンペーン画面及びキャンペーンに対応する表示時間を自動取引装置１１に送信する。なお、以降の動作については、前記第１の実施の形態と同様であるので、説明を省略する。
【００４９】
このように、本実施の形態においては、対象顧客のグループ毎に、キャンペーン表示時間を設定することができるようになっている。そのため、前記第１の実施の形態の効果に加え、顧客の特性に応じた表示時間でキャンペーン画面を表示することができ、より顧客アピール度の高いキャンペーン表示を実現することができる。
【００５０】
なお、本実施の形態においては、キャンペーンの対象となる顧客を年齢を基準としてグルーピングする場合について説明したが、グルーピングの基準は、年齢に限られることなく、顧客の性別、年収、職種、住所、口座残高等であってもよく、いかなるものであってもよい。
【００５１】
次に、本発明の第３の実施の形態について説明する。なお、第１及び第２の実施の形態と同じ構造を有するものについては、同じ符号を付与することによってその説明を省略する。また、前記第１及び第２の実施の形態と同じ動作及び同じ効果についても、その説明を省略する。
【００５２】
図７は本発明の第３の実施の形態における顧客情報データベースの登録内容を示す図である。
【００５３】
本実施の形態において、キャンペーン情報は、図７に示されるような形態で顧客情報データベース１３に格納されている。この場合、金融機関が顧客に対して行うキャンペーンに対応するように、それぞれのキャンペーンを実施する自動取引装置１１が配設されている実施を示す情報としての実施店舗、キャンペーンの対象となる顧客を示す対象顧客ＩＤが格納される。ここで、前記実施店舗は、複数のグループを構成するように格納されている。すなわち、（Ｘ１、Ｘ２、・・・）、・・・（Ｚ１、Ｚ２、・・・）のようなグループを構成するように設定されている。この場合、例えば、店舗に配設された自動取引装置１１の利用度合いに応じて店舗をあらかじめグルーピングし、その結果に応じて前記実施店舗のグループを構成する。
【００５４】
また、それぞれの顧客に対して作成されたキャンペーンを紹介するためのメッセージ内容、画面情報及び表示時間が設定されている。そして、該表示時間は、前記実施店舗の各グループに対応して個別に設定されている。すなわち、実施店舗（Ｘ１、Ｘ２、・・・）のグループに対しては表示時間ＹＹＹが設定され、実施店舗（Ｚ１、Ｚ２、・・・）のグループに対しては表示時間ＺＺＺが設定されている。つまり、表示時間が実施店舗のグループ毎に設定されて登録されている。この場合、例えば、自動取引装置１１の利用度合いが高い実施店舗のグループに対しては表示時間が短くなるように設定し、自動取引装置１１の利用度合いが低い実施店舗のグループに対しては表示時間が短くなるように設定しておく。なお、本実施の形態において、キャンペーン表示システム１０のその他の点についての構成は、前記第１の実施の形態と同様であるので、説明を省略する。
【００５５】
次に、本実施の形態におけるキャンペーン表示システム１０の動作について説明する。なお、顧客が自動取引装置１１を操作して所望の取引を選択してから、顧客ＩＤ及び店舗情報が自動取引装置１１から顧客情報管理装置１２に送信されるまでの動作については、前記第１の実施の形態と同様であるので、説明を省略する。
【００５６】
そして、顧客情報管理装置１２は、自動取引装置１１から顧客ＩＤ及び店舗情報を受信すると、顧客情報データベース１３にアクセスし、前記顧客向け及び前記店舗向けのキャンペーン情報が格納されているか否かを判断する。この場合、図７に示されるような対象顧客ＩＤの中に自動取引装置１１から受信した顧客ＩＤが含まれるか否かを判断する。そして、該顧客ＩＤが対象顧客ＩＤの中に含まれると判断した場合、顧客情報管理装置１２は、店舗が属する実施店舗のグループに対応する表示時間を取得する。続いて、前記顧客情報管理装置１２は、前記対象顧客ＩＤに対応するメッセージや画像による表示データと、顧客マスタデータベース１４に格納されている顧客の氏名を編集し、自動取引装置１１の表示装置に、案内情報を表示させるための画面を作成し、キャンペーン画面及びキャンペーンに対応する表示時間を自動取引装置１１に送信する。なお、以降の動作については、前記第１の実施の形態と同様であるので、説明を省略する。
【００５７】
このように、本実施の形態においては、実施店舗のグループ毎に、キャンペーン表示時間を設定することができるようになっている。そのため、前記第１の実施の形態の効果に加え、実施店舗の特性に応じた表示時間でキャンペーン画面を表示することができる。例えば、店舗に配設された自動取引装置１１の利用度合いに応じて実施店舗をグルーピングした場合、自動取引装置１１の利用度合いが高い実施店舗のグループに対しては表示時間が短くなるように設定し、自動取引装置１１の利用度合いが低い実施店舗のグループに対しては表示時間が短くなるように設定することができる。そのため、自動取引装置１１の利用度合いが高い店舗において、自動取引装置１１への待ち行列を増加させないことができる。
【００５８】
なお、本実施の形態においては、キャンペーンの対象となる実施店舗を自動取引装置１１の利用度合いを基準としてグルーピングする場合について説明したが、グルーピングの基準は、自動取引装置１１の利用度合いに限られることなく、店舗の住所、立地条件等であってもよく、いかなるものであってもよい。また、実施店舗は、営業店に限定されることなく、コンビニエンスストア、スーパーマーケット、デパート等の商店の店舗、地下街、駅の構内、市役所、病院等の公共施設、工場、事務所等の私企業、駐車場、道路脇等の屋外等におけるキャッシュコーナのような無人のブースであってもよい。
【００５９】
次に、本発明の第４の実施の形態について説明する。なお、第１〜第３の実施の形態と同じ構造を有するものについては、同じ符号を付与することによってその説明を省略する。また、前記第１〜第３の実施の形態と同じ動作及び同じ効果についても、その説明を省略する。
【００６０】
図８は本発明の第４の実施の形態における顧客情報データベースの登録内容を示す図である。
【００６１】
本実施の形態において、キャンペーン情報は、図８に示されるような形態で顧客情報データベース１３に格納されている。この場合、金融機関が顧客に対して行うキャンペーンに対応するように、それぞれのキャンペーンを実施する各実施店舗、実施時間帯、キャンペーンの対象となる顧客を示す対象顧客ＩＤが格納される。ここで、前記実施時間帯は、キャンペーンを実施する時間帯に関する情報であり、年、月、日、時間、分〜年、月、日、時間、分という情報を含み、複数の実施時間帯を構成するように格納されている。すなわち、（ＹＹＭＭＤＤＨＨＭＭ〜ＹＹＭＭＤＤＨＨＭＭ）、・・・（ＹＹＭＭＤＤＨＨＭＭ〜ＹＹＭＭＤＤＨＨＭＭ）のような複数の実施時間帯が設定されている。この場合、日付、曜日、時刻等に応じて複数の実施時間帯を設定することができ、例えば、給料日や月末の昼休みに該当する実施時間帯をあらかじめ設定しておく。
【００６２】
また、それぞれの顧客に対して作成されたキャンペーンを紹介するためのメッセージ内容、画面情報及び表示時間が設定されている。そして、該表示時間は、前記実施時間帯に対応して個別に設定されている。すなわち、実施時間帯（ＹＹＭＭＤＤＨＨＭＭ〜ＹＹＭＭＤＤＨＨＭＭ）に対しては表示時間ＹＹＹが設定され、実施時間帯（ＹＹＭＭＤＤＨＨＭＭ〜ＹＹＭＭＤＤＨＨＭＭ）に対しては表示時間ＺＺＺが設定されている。つまり、表示時間が実施時間帯毎に設定されて登録されている。この場合、例えば、給料日や月末の昼休みに該当する実施時間帯のように、自動取引装置１１の利用度合いが高い実施時間帯に対しては表示時間が短くなるように設定し、自動取引装置１１の利用度合いが低い実施時間帯に対しては表示時間が短くなるように設定しておく。なお、本実施の形態において、キャンペーン表示システム１０のその他の点についての構成は、前記第１の実施の形態と同様であるので、説明を省略する。
【００６３】
次に、本実施の形態におけるキャンペーン表示システム１０の動作について説明する。なお、顧客が自動取引装置１１を操作して所望の取引を選択してから、顧客ＩＤ及び店舗情報が自動取引装置１１から顧客情報管理装置１２に送信されるまでの動作については、前記第１の実施の形態と同様であるので、説明を省略する。
【００６４】
そして、顧客情報管理装置１２は、自動取引装置１１から顧客ＩＤ及び店舗情報を受信すると、顧客情報データベース１３にアクセスし、前記顧客向け及び前記店舗向けのキャンペーン情報が格納されているか否かを判断する。この場合、図８に示されるような対象顧客ＩＤの中に自動取引装置１１から受信した顧客ＩＤが含まれるか否かを判断する。そして、該顧客ＩＤが対象顧客ＩＤの中に含まれると判断した場合、顧客情報管理装置１２は、現在時刻が含まれる実施時間帯に対応する表示時間を取得する。続いて、前記顧客情報管理装置１２は、前記対象顧客ＩＤに対応するメッセージや画像による表示データと、顧客マスタデータベース１４に格納されている顧客の氏名を編集し、自動取引装置１１の表示装置に、案内情報を表示させるための画面を作成し、キャンペーン画面及びキャンペーンに対応する表示時間を自動取引装置１１に送信する。なお、以降の動作については、前記第１の実施の形態と同様であるので、説明を省略する。
【００６５】
このように、本実施の形態においては、キャンペーンの実施時間帯毎に、キャンペーン表示時間を設定することができるようになっている。そのため、前記第１の実施の形態の効果に加え、実施時間帯の特性に応じた表示時間でキャンペーン画面を表示することができる。例えば、給料日や月末の昼休みに該当する実施時間帯のように、自動取引装置１１の利用度合いが高い実施時間帯に対しては表示時間が短くなるように設定し、自動取引装置１１の利用度合いが低い実施時間帯に対しては表示時間が短くなるように設定することができる。そのため、自動取引装置１１の利用度合いが高い実施時間帯には、自動取引装置１１への待ち行列を増加させず、効率的にキャンペーンを実施することができる。
【００６６】
次に、本発明の第５の実施の形態について説明する。なお、第１〜第４の実施の形態と同じ構造を有するものについては、同じ符号を付与することによってその説明を省略する。また、前記第１〜第４の実施の形態と同じ動作及び同じ効果についても、その説明を省略する。
【００６７】
図９は本発明の第５の実施の形態における顧客情報データベースの登録内容を示す図である。
【００６８】
本実施の形態において、キャンペーン情報は、図９に示されるような形態で顧客情報データベース１３に格納されている。この場合、金融機関が顧客に対して行うキャンペーンに対応するように、それぞれのキャンペーンを実施する各実施店舗、操作時間レベル、キャンペーンの対象となる顧客を示す対象顧客ＩＤが格納される。ここで、前記操作時間レベルは、顧客が自動取引装置１１を操作する速度に関する情報であり、例えば、操作時間の長さに応じて、短い方から長い方まで、すなわち、操作が速い方から遅い方まで、Ａ〜Ｚの複数のレベルに分類されて格納されている。
【００６９】
また、それぞれの顧客に対して作成されたキャンペーンを紹介するためのメッセージ内容、画面情報及び表示時間が設定されている。そして、該表示時間は、前記操作時間レベルに対応して個別に設定されている。すなわち、操作時間レベルＡに対しては表示時間ＹＹＹが設定され、操作時間レベルＺに対しては表示時間ＺＺＺが設定されている。つまり、表示時間が操作時間レベル毎に設定されて登録されている。この場合、例えば、操作が遅いことを示す操作時間レベルに対しては表示時間が長くなるように設定し、操作が速いことを示す操作時間レベルに対しては表示時間が短くなるように設定しておく。なお、本実施の形態において、キャンペーン表示システム１０のその他の点についての構成は、前記第１の実施の形態と同様であるので、説明を省略する。
【００７０】
次に、本実施の形態におけるキャンペーン表示システム１０の動作について説明する。
【００７１】
まず、顧客が金融機関に配設された自動取引装置１１を操作して入金、出金、通帳記帳、残高照会等の金融取引を行う場合、顧客操作部の表示装置には取引選択画面が表示される。そして、前記顧客操作部において、顧客は、表示されている取引から所望の取引を選択する。そのため、顧客は、前記顧客操作部に表示された金融取引の中から選択した取引のキーにタッチする。
【００７２】
続いて、前記顧客操作部に、取引媒体であるカード又は通帳の挿入を指示する画面が表示される。続いて、顧客はカードをカード取り扱い部のカードスロットに挿入する。すると、前記顧客操作部に、暗証番号を入力する指示とともにテンキーが表示されるので、顧客は前記テンキーにタッチして暗証番号を入力する。すると、カード取り扱い部の記録ヘッドは、キャッシュカードの磁気ストライプやＩＣに格納された情報である顧客ＩＤ、及び、自動取引装置１１が配設されている店舗情報を読み取る。
【００７３】
ここで、自動取引装置１１は、前記顧客が自動取引装置１１を操作する操作時間を計測する。該操作時間は、あらかじめ定められた操作を行うのに要した時間であり、例えば、顧客操作部に表示された金融取引の中から選択した取引のキーにタッチしてから、暗証番号の入力を完了するまでの時間である。なお、操作時間を計測するための操作は任意に選択することができる。そして、前記自動取引装置１１は、顧客ＩＤ、店舗情報及び操作時間を顧客情報管理装置１２に送信する。
【００７４】
そして、該顧客情報管理装置１２は、自動取引装置１１から顧客ＩＤ、店舗情報及び操作時間を受信すると、顧客情報データベース１３にアクセスし、前記顧客向け及び前記店舗向けのキャンペーン情報が格納されているか否かを判断する。この場合、図９に示されるような対象顧客ＩＤの中に自動取引装置１１から受信した顧客ＩＤが含まれるか否かを判断する。そして、該顧客ＩＤが対象顧客ＩＤの中に含まれると判断した場合、顧客情報管理装置１２は、受信した操作時間がどの操作時間レベルに対応するかを判断する。なお、操作時間の長さと操作時間レベルとの対応付けは、あらかじめ設定されている。そして、前記顧客情報管理装置１２は、該当する操作時間レベルに対応する表示時間を取得する。続いて、前記顧客情報管理装置１２は、前記対象顧客ＩＤに対応するメッセージや画像による表示データと、顧客マスタデータベース１４に格納されている顧客の氏名を編集し、自動取引装置１１の表示装置に、案内情報を表示させるための画面を作成し、キャンペーン画面及びキャンペーンに対応する表示時間を自動取引装置１１に送信する。なお、以降の動作については、前記第１の実施の形態と同様であるので、説明を省略する。
【００７５】
このように、本実施の形態においては、顧客の操作時間レベルに対応したキャンペーン表示時間を設定することができるようになっている。なお、各顧客の操作時間レベルは、顧客が自動取引装置１１を操作する操作時間を計測することによって決定される。そのため、前記第１の実施の形態の効果に加え、顧客の操作時間レベルに対応した表示時間でキャンペーン画面を表示することができる。例えば、操作が遅いことを示す操作時間レベルに対しては表示時間が長くなるように設定し、操作が速いことを示す操作時間レベルに対しては表示時間が短くなるように設定しておくことができる。そのため、自動取引装置１１の操作が遅い顧客は、長い時間をかけてキャンペーン画面の内容を把握することができるので、より顧客アピール度の高いキャンペーン表示を実現することが可能となる。
【００７６】
次に、本発明の第６の実施の形態について説明する。なお、第１〜第５の実施の形態と同じ構造を有するものについては、同じ符号を付与することによってその説明を省略する。また、前記第１〜第５の実施の形態と同じ動作及び同じ効果についても、その説明を省略する。
【００７７】
図１０は本発明の第６の実施の形態における顧客情報データベースの登録内容を示す図である。
【００７８】
本実施の形態において、キャンペーン情報は、図１０に示されるような形態で顧客情報データベース１３に格納されている。この場合、金融機関が顧客に対して行うキャンペーンに対応するように、それぞれのキャンペーンを実施する各実施店舗、混雑レベル、キャンペーンの対象となる顧客を示す対象顧客ＩＤが格納される。ここで、前記混雑レベルは、自動取引装置１１の混雑度合いに関する情報であり、例えば、混雑度合いに応じて、高い方から低い方まで、すなわち、混雑が激しい方から混雑していない方まで、Ａ〜Ｚの複数のレベルに分類されて格納されている。なお、混雑度合いとは、利用度合いを他の観点から表現したものであるとも言える。すなわち、自動取引装置１１の混雑度合いが高いことは、当該自動取引装置１１の利用度合いが高いことを示し、自動取引装置１１の混雑度合いが低いことは、当該自動取引装置１１の利用度合いが低いことを示している。
【００７９】
また、それぞれの顧客に対して作成されたキャンペーンを紹介するためのメッセージ内容、画面情報及び表示時間が設定されている。そして、該表示時間は、前記混雑レベルに対応して個別に設定されている。すなわち、混雑レベルＡに対しては表示時間ＹＹＹが設定され、混雑レベルＺに対しては表示時間ＺＺＺが設定されている。つまり、表示時間が混雑レベル毎に設定されて登録されている。この場合、例えば、混雑度合いが低いことを示す混雑レベルに対しては表示時間が長くなるように設定し、混雑度合いが高いことを示す混雑レベルに対しては表示時間が短くなるように設定しておく。なお、本実施の形態において、キャンペーン表示システム１０のその他の点についての構成は、前記第１の実施の形態と同様であるので、説明を省略する。
【００８０】
次に、本実施の形態におけるキャンペーン表示システム１０の動作について説明する。
【００８１】
まず、顧客が金融機関に配設された自動取引装置１１を操作して入金、出金、通帳記帳、残高照会等の金融取引を行う場合、顧客操作部の表示装置には取引選択画面が表示される。そして、前記顧客操作部において、顧客は、表示されている取引から所望の取引を選択する。そのため、顧客は、前記顧客操作部に表示された金融取引の中から選択した取引のキーにタッチする。
【００８２】
続いて、前記顧客操作部に、取引媒体であるカード又は通帳の挿入を指示する画面が表示される。続いて、顧客はカードをカード取り扱い部のカードスロットに挿入する。すると、前記顧客操作部に、暗証番号を入力する指示とともにテンキーが表示されるので、顧客は前記テンキーにタッチして暗証番号を入力する。すると、カード取り扱い部の記録ヘッドは、キャッシュカードの磁気ストライプやＩＣに格納された情報である顧客ＩＤ、及び、自動取引装置１１が配設されている店舗情報を読み取る。
【００８３】
ここで、自動取引装置１１は、当該自動取引装置１１の混雑度合いを計測する。該混雑度合いは、例えば、前回の操作が終了してから今回の操作が開始されるまでの時間を計測することによって取得することができる。この場合、前記時間が短いほど混雑度合いが高くなるようにする。また、例えば、自動取引装置１１の内部又は外部に取り付けられた図示されないカメラが撮影した画像を処理することによって、当該自動取引装置１１の前に形成された順番待ちをする顧客の列の長さ、又は、該列に含まれる人数を計測することによって、混雑度合いを取得することができる。この場合、前記列が長いほど、又は、該列に含まれる人数が多いほど混雑度合いが高くなるようにする。そして、前記自動取引装置１１は、顧客ＩＤ、店舗情報及び混雑度合いを顧客情報管理装置１２に送信する。
【００８４】
そして、該顧客情報管理装置１２は、自動取引装置１１から顧客ＩＤ、店舗情報及び混雑度合いを受信すると、顧客情報データベース１３にアクセスし、前記顧客向け及び前記店舗向けのキャンペーン情報が格納されているか否かを判断する。この場合、図１０に示されるような対象顧客ＩＤの中に自動取引装置１１から受信した顧客ＩＤが含まれるか否かを判断する。そして、該顧客ＩＤが対象顧客ＩＤの中に含まれると判断した場合、顧客情報管理装置１２は、受信した混雑度合いがどの混雑レベルに対応するかを判断する。なお、混雑度合いと混雑レベルとの対応付けは、あらかじめ設定されている。そして、前記顧客情報管理装置１２は、該当する混雑レベルに対応する表示時間を取得する。続いて、前記顧客情報管理装置１２は、前記対象顧客ＩＤに対応するメッセージや画像による表示データと、顧客マスタデータベース１４に格納されている顧客の氏名を編集し、自動取引装置１１の表示装置に、案内情報を表示させるための画面を作成し、キャンペーン画面及びキャンペーンに対応する表示時間を自動取引装置１１に送信する。なお、以降の動作については、前記第１の実施の形態と同様であるので、説明を省略する。
【００８５】
このように、本実施の形態においては、自動取引装置１１の混雑レベルに対応したキャンペーン表示時間を設定することができるようになっている。なお、各自動取引装置１１の混雑レベルは、各自動取引装置１１の混雑度合いを計測することによって決定される。そのため、前記第１の実施の形態の効果に加え、自動取引装置１１の混雑レベルに対応した表示時間でキャンペーン画面を表示することができる。例えば、混雑度合いが低いことを示す混雑レベルに対しては表示時間が長くなるように設定し、混雑度合いが高いことを示す操作時間レベルに対しては表示時間が短くなるように設定しておくことができる。そのため、自動取引装置１１が混雑している場合には、キャンペーン画面の表示時間を短くするようにして、自動取引装置１１への待ち行列を増加させないことができ、各顧客による自動取引装置１１の専有時間を長くすることなく、効率的にキャンペーンを実施することができる。
【００８６】
次に、本発明の第７の実施の形態について説明する。なお、第１〜第６の実施の形態と同じ構造を有するものについては、同じ符号を付与することによってその説明を省略する。また、前記第１〜第６の実施の形態と同じ動作及び同じ効果についても、その説明を省略する。
【００８７】
図１１は本発明の第７の実施の形態における履歴データベースの登録内容を示す図である。
【００８８】
本実施の形態において、顧客の操作履歴情報は、図１１に示されるような形態で履歴データベース１５に格納されている。この場合、キャンペーンを実施する度に、実施日時、実施店舗、顧客ＩＤ、キャンペーン種類、結果及び表示時間が、履歴情報として前記履歴データベース１５に格納される。そのため、キャンペーン履歴情報として、自動取引装置１１にキャンペーン画面を実際に表示した表示時間を蓄積することができる。
【００８９】
次に、本実施の形態におけるキャンペーン表示システム１０の動作について説明する。なお、顧客が自動取引装置１１を操作して所望の取引を選択してから、図５（ｂ）に示されるようなキャンペーン画面を表示するまでの動作については、前記第１の実施の形態と同様であるので、説明を省略する。
【００９０】
そして、図５（ｂ）に示されるようなキャンペーン画面において顧客が確認ボタンを押下するか、または、受信した表示時間が経過すると、前記キャンペーン画面に変えて、図５（ｃ）に示されるように通常の取引画面が表示される。また、自動取引装置１１は、前記キャンペーン画面に代えて通常の取引画面を表示するとともに、顧客情報管理装置１２に対して、表示結果に関する情報、及び、キャンペーン画面を実際に表示した表示時間を送信する。そして、前記顧客情報管理装置１２は、受信した前記表示結果情報及び表示時間を元に、前記履歴データベース１５へ対応するデータを追加する。
【００９１】
なお、履歴データベース１５に蓄積された表示時間の情報は、後日分析を行うことによって、以降における表示時間の設定値を決めるための指針とすることが可能である。
【００９２】
このように、本実施の形態においては、自動取引装置１１にキャンペーン画面を実際に表示した表示時間を履歴データベース１５に格納するようになっている。そのため、前記第１の実施の形態の効果に加え、キャンペーン履歴情報として、自動取引装置１１にキャンペーン画面を実際に表示した表示時間を蓄積することができる。また、この情報を分析することによって、以降における表示時間の設定値を決めるための指針とすることができるので、より顧客アピール度の高いキャンペーン表示が可能となり、かつ、各顧客による自動取引装置１１の専有時間を長くすることなく、効率的にキャンペーンを実施することができる。
【００９３】
なお、本発明は前記実施の形態に限定されるものではなく、本発明の趣旨に基づいて種々変形させることが可能であり、それらを本発明の範囲から排除するものではない。
【図面の簡単な説明】
【００９４】
【図１】本発明の第１の実施の形態におけるキャンペーン表示システムの構成を示す図である。
【図２】本発明の第１の実施の形態における顧客マスタデータベースの登録内容を示す図である。
【図３】本発明の第１の実施の形態における顧客情報データベースの登録内容を示す図である。
【図４】本発明の第１の実施の形態における履歴データベースの登録内容を示す図である。
【図５】本発明の第１の実施の形態におけるキャンペーン画面の例を示す図である。
【図６】本発明の第２の実施の形態における顧客情報データベースの登録内容を示す図である。
【図７】本発明の第３の実施の形態における顧客情報データベースの登録内容を示す図である。
【図８】本発明の第４の実施の形態における顧客情報データベースの登録内容を示す図である。
【図９】本発明の第５の実施の形態における顧客情報データベースの登録内容を示す図である。
【図１０】本発明の第６の実施の形態における顧客情報データベースの登録内容を示す図である。
【図１１】本発明の第７の実施の形態における履歴データベースの登録内容を示す図である。
【符号の説明】
【００９５】
１０    キャンペーン表示システム
１１    自動取引装置
１２    顧客情報管理装置
１３    顧客情報データベース
【図１】
2006085238.tif 000003
【図２】
2006085238.tif 000004
【図３】
2006085238.tif 000005
【図４】
2006085238.tif 000006
【図５】
2006085238.tif 000007
【図６】
2006085238.tif 000008
【図７】
2006085238.tif 000009
【図８】
2006085238.tif 000010
【図９】
2006085238.tif 000011
【図１０】
2006085238.tif 000012
【図１１】
2006085238.tif 000013